(57)【要約】【課題】ネットワークに接続された装置にＵＳＢ接続した装置をネットワークに接続させる場合に、ネットワーク接続を簡易に行うことが可能な複合機システムを提供する。【解決手段】互いのＵＳＢ接続部を用いてＵＳＢ接続することで構成された複合機システムであって、第１の装置は、ネットワークに接続するためのパラメータを設定する設定部と、設定されたパラメータを用いてネットワークの制御を行う第１のネットワーク制御部と、ＵＳＢ接続部を通じてパラメータを第２の装置へ転送する転送実行部とを有し、第２の装置は、第１の装置とＵＳＢ接続された際、転送されたパラメータを、ＵＳＢ接続部を通じて受け取る受信部と、転送されたパラメータを用いて、第２の装置のネットワークに接続するための制御を行う第２のネットワーク制御部とを有する。【選択図】図６
2010093442.tif 000002
【特許請求の範囲】
【請求項１】
第１及び第２の装置を互いのＵＳＢ接続部を用いてＵＳＢ接続することで複合的な機能を提供する複合機システムであって、
前記第１の装置は、
ネットワークに接続するためのパラメータを設定する設定部と、
前記設定されたパラメータを用いてネットワークの制御を行う第１のネットワーク制御部と、
前記ネットワークを通じて供給されたデータを用いて出力を行う第１の実行部と、
前記ＵＳＢ接続部を通じて前記パラメータを前記第２の装置へ転送する転送実行部と、を有し、
前記第２の装置は、
前記第１の装置とＵＳＢ接続された際、前記転送されたパラメータを、前記ＵＳＢ接続部を通じて受け取る受信部と、
前記転送されたパラメータを用いて、第２の装置のネットワークに接続するための制御を行う第２のネットワーク制御部と、
前記接続されたネットワークを通じてデータを通信する第２の実行部と、を有することを特徴とする複合機システム。
【請求項２】
前記第２の装置は、前記パラメータを受信した際、同パラメータを表示させる表示部を有することを特徴とする請求項１に記載の複合機システム。
【請求項３】
前記受信部は、前記設定されたパラメータを受け取る際、設定部のネットワーク設定機能を無効にすることを特徴とする請求項１又は請求項２のいずれかに記載の複合機システム。
【請求項４】
前記受信部が第１の装置から受け取るパラメータは、ネットワーク接続設定に必要なパラメータと、ネットワークに接続する際のセキュリティー設定に必要なパラメータであることを特徴とする請求項１〜請求項３のいずれか一項に記載の複合機システム。
【請求項５】
他の装置とＵＳＢ接続するためのＵＳＢ接続部と、
ネットワークと接続するためのパラメータを設定する設定部と、
前記設定されたパラメータを用いてネットワークの制御を行う第１のネットワーク制御部と、
前記接続されたネットワークを通じて供給されたデータを用いて画像を形成する画像形成部と、
前記ＵＳＢ接続部を通じて接続された他の装置へ、同ＵＳＢ接続部を通じてパラメータを転送させる転送実行部と、を有することを特徴とする画像形成装置。
【請求項６】
画像データを読み取る読み取り部と、
他の装置とＵＳＢ接続するためのＵＳＢ接続部と、
前記ＵＳＢ接続部を通じて他の装置にＵＳＢ接続された際、前記他の装置から転送された各種パラメータを前記ＵＳＢ接続部を通じて受け取る受信部と、
前記転送されたパラメータを用いて、前記ネットワークに接続するための制御を行う第２のネットワーク制御部と、
前記読み取られた画像データを前記接続されたネットワークを通じて出力する画像出力部と、を有することを特徴とする画像読み取り装置。
【発明の詳細な説明】
【技術分野】
【０００１】
本発明は、異なる機能を備える２以上の装置を接続して構成される複合機システム、画像形成装置、及び読み取り装置に関する。
【背景技術】
【０００２】
従来、異なる機能を備えた２以上の装置を接続して、複合機を構成するシステムが知られている。例えば、ネットワークを通じてホストＰＣ、スキャナ装置、及びプリンタとを接続して、読み取り機能と印刷機能とを備えた複合機を構成する複合機システムが開示されている（例えば、特許文献１参照）。
【０００３】
上記のような複合機システムでは、スキャナ装置が読み取ったデータをネットワークを通じてホストＰＣに送信し、その後、ホストＰＣは受信したネットワークを通じてデータをプリンタに送信する。そのため、ネットワークを通じてホストＰＣ、スキャナ装置、プリンタが１つの複合機として機能することができる。
【０００４】
一方、異なる機能を備える２以上の装置をＵＳＢ等のインタフェースで接続して複合機を構成し、この複合機をネットワークを通じてホストＰＣと接続させる場合がある。例えば、スキャナ装置とプリンタとをＵＳＢを用いて接続して複合機を構成し、この複合機をネットワークを通じてホストＰＣと接続する。この場合、スキャナ装置が読み取ったデータは、ネットワークを介することなくＵＳＢを通じてプリンタに送信され、以後の印刷処理が実行される。
【特許文献１】特開平１１ー１７５２９９号公報
【発明の開示】
【発明が解決しようとする課題】
【０００５】
２以上の装置をインタフェースを用いて直接接続して複合機を構成した場合、どちらかの装置をネットワークに接続させておくこととなる。このとき、一方の複合機をネットワークに接続させた状態でインタフェースを用いて他の装置と接続する場合、後から接続した装置をネットワークに接続させることが好ましい場合があった。このような場合、後からネットワークに接続する装置に対してネットワーク設定を行う必要があった。
【０００６】
本発明は、上記課題にかんがみてなされたもので、ネットワークに接続された装置に新たな装置を接続し、かつ、新たに接続した装置をネットワークに接続させる場合に、ネットワーク接続を簡易に行うことが可能な複合機システム、画像形成装置、及び読み取り装置の提供を目的とする。
【課題を解決するための手段】
【０００７】
上記課題を解決するために、本発明では、第１及び第２の装置を互いのＵＳＢ接続部を用いてＵＳＢ接続することで複合的な機能を提供する複合機システムであって、前記第１の装置は、ネットワークに接続するためのパラメータを設定する設定部と、
前記設定されたパラメータを用いてネットワークの制御を行う第１のネットワーク制御部と、前記ネットワークを通じて供給されたデータを用いて出力を行う第１の実行部と、前記ＵＳＢ接続部を通じて前記パラメータを前記第２の装置へ転送する転送実行部と、を有し、前記第２の装置は、前記第１の装置とＵＳＢ接続された際、前記転送されたパラメータを、前記ＵＳＢ接続部を通じて受け取る受信部と、前記転送されたパラメータを用いて、第２の装置をネットワークに接続するための制御を行う第２のネットワーク制御部と、前記接続されたネットワークを通じてデータを通信する第２の実行部と、を有する構成としてある。
【０００８】
上記のように構成された発明では、第１及び第２の装置を互いのＵＳＢ接続部を用いてＵＳＢ接続することで複合的な機能を提供する複合機システムであって、第１の装置は、所定のパラメータを設定する設定部と、設定されたパラメータを用いてネットワークを制御する第１のネットワーク制御部と、ネットワークを通じて供給されたデータを用いて出力を行う第１の実行部と、ＵＳＢ接続部を通じてパラメータを第２の装置へ転送する転送実行部と、を有する。また、第２の装置は、第１の装置とＵＳＢ接続された際、転送されたパラメータをＵＳＢ接続部を通じて受け取る受信部と、転送されたパラメータを用いて、ネットワークに接続するための第２のネットワーク制御部と、接続されたネットワークを通じてデータを通信する第２の実行部とを有する。
そのため、予めネットワークに接続された第１の装置に対して第２の装置を接続して複合機を構成する際に、第２の装置をネットワークに接続させる場合でも、第２の装置を第１の装置が予め設定したネットワーク設定を用いてネットワークに接続させることができる。その結果、ユーザは、第２の装置をネットワークに接続するための設定を行なう必要がなくなる。
ここで、ネットワークに接続するとは、各装置をネットワークに接続するために必要とする設定のみならず、暗号化等のセキュリティーに関するものを含む。
【０００９】
本発明の一局面として、前記第２の装置は、前記パラメータを受信した際、同パラメータを表示させる表示部を有する。
上記のように構成された発明では、表示部にこれから設定するパラメータを表示するため、ユーザが自動で設定されるネットワーク設定を確認することができる。
【００１０】
本発明の一局面として、前記受信部は、前記設定されたパラメータを受け取る際、設定部のネットワーク設定機能を無効にする。
上記のように構成された発明では、第２の装置がネットワークに接続されると、設定部のネットワーク設定機能が無効にされ、ネットワークに接続できなくするため、第１及び第２の装置のいずれもがネットワークに接続されることで生じる設定の不備を防止することができる。
【００１１】
本発明の一局面として、前記受信部が第１の装置から受け取るパラメータは、ネットワーク接続設定に必要なパラメータと、ネットワークに接続する際のセキュリティー設定に必要なパラメータである。
上記のように構成された発明では、ネットワーク接続設定に必要なパラメータのみならず、ネットワークに接続する際のセキュリティー設定に必要なパラメータをも自動で設定するため、ネットワークに接続するための設定操作をより簡素化させることができる。
【００１２】
また、本発明は、複数の装置がＵＳＢ接続された複合機システムのみならず、この複合機システムを構成する各装置に対しても応用することができる。
【発明を実施するための最良の形態】
【００１３】
以下、図を参照しつつ、下記の順序に従って本発明の実施形態を説明する。なお、同一の符号を付した箇所は同一又は同等の箇所を意味し、その説明は繰返さない。
１．第１の実施形態：
２．その他の実施形態：
【００１４】
１．第１の実施形態：
図１、図２は、ネットワークに接続された複合機を説明するための模式図である。第１の実施形態では、複合機１００はプリンタ（画像形成装置）６０及びスキャナ装置（画像読み取り装置）９０により構成される。ネットワーク３００に、ホストＰＣ２００と、サーバ２０１と、プリンタ６０が接続されている場合、ユーザはホストＰＣ２００を操作してプリンタ６０に印刷処理を実行させることができる。このとき、プリンタ６０は、ＩＰｖ６（Internet Protocol version 6）に準ずるプロトコルを用いてネットワーク３００に接続している。
【００１５】
この状態で、ＵＳＢケーブル１０を用いてプリンタ６０にスキャナ装置９０を接続して複合機１００を形成する場合を想定する。ここで、スキャナ装置９０は画等を読み取ることができるため、スキャナ装置９０をネットワーク３００に接続すれば、ネットワーク３００を通じて読み取ったデータをホストＰＣ２００又はサーバ２０１を通じてネットワーク３００の他の端末に出力することができる（図２）。そのため、スキャナ装置９０をネットワーク３００に接続させることが望ましい。しかし、ユーザはスキャナ装置９０をネットワーク３００に接続するために、スキャナ装置９０に対してネットワーク設定を行なう必要が生じる。
【００１６】
本スキャナ装置９０はプリンタ６０とＵＳＢ接続した際、プリンタ６０を制御して同プリンタ６０に記憶されたネットワーク設定に係るパラメータを転送させる。また、スキャナ装置９０は、転送されたパラメータを使用してネットワーク設定を自動で行なう。つまり、スキャナ装置９０をネットワーク３００に接続するに際し、ユーザがスキャナ装置９０に対して新たにネットワーク設定を行わなくともスキャナ装置９０を自動でネットワーク３００に接続することが可能となる。以下、複合機１００を構成するスキャナ装置９０、及びプリンタ６０の構成をより詳細に説明していく。
【００１７】
図３は、スキャナ装置を説明するためのブロック図である。スキャナ装置９０の要部は、主たる制御を行うメインコントローラ８０と、画像データを読み取るためのスキャナ部（読み取り部）９９と、ユーザからの操作を受け付ける操作パネル９８と、ネットワーク３００と接続するためのネットワークＩＦ９７と、所定の文字を表示する表示パネル（表示部）９６と、ＵＳＢ接続を行うためのホスト側のＵＳＢコントローラ７０とで構成されている。
【００１８】
メインコントローラ８０の要部は、ＣＰＵ８１と、ＣＰＵ８１が所定の制御を行うために必要なプログラム等を記憶するＲＯＭ８２と、ＲＡＭ８３と、ネットワーク設定に係る各種パラメータを記憶するＥＥＰＲＯＭ８４と、ＣＰＵ８１から各メモリ（ＲＯＭ８２、ＲＡＭ８３、ＥＥＰＲＯＭ８４）に対するアクセスを制御するメモリコントローラ８５とで構成されている。
【００１９】
ＲＯＭ８２には、ＣＰＵ８１がネットワーク設定を行なうための各種プログラムが記憶されており、ＣＰＵ８１は所定のオペレーティングシステムの下でこのプログラムを実行することで、ネットワーク制御部（第２のネットワーク制御部）８１ａ、パラメータ受信部（受信部）８１ｂ、ＵＩ表示部８１ｃ、として機能する。
【００２０】
ネットワーク制御部８１ａは、ネットワークＩＦ９７を通じて、スキャナ装置９０をネットワーク３００に接続するためものである。このとき、ネットワーク制御部８１ａは、ＥＥＰＲＯＭ８４に記憶されたネットワーク設定のためのパラメータを用いて、スキャナ装置９０をネットワーク３００に接続する。無論、ネットワーク制御部８１ａは、ＥＥＰＲＯＭ８４に記憶されたパラメータを用いてネットワーク接続を行う他、単独でもネットワーク設定のためのパラメータを設定することが可能である。
【００２１】
パラメータ受信部８１ｂは、プリンタ６０が記憶するネットワーク設定のための各種パラメータをＵＳＢケーブル１０を通じてスキャナ装置９０に転送させるためのものである。パラメータ受信部８１ｂは、プリンタ６０が記憶するパラメータをＵＳＢケーブル１０を通じてパラメータ受信部に出力させ、転送させたパラメータをＥＥＰＲＯＭ８４に記憶させる。
【００２２】
ＵＩ表示部８１ｃは、表示パネル９６に対して所定の文字を表示させるためのものである。ＵＩ表示部８１ｃが表示パネル９６に表示させる文字は、ユーザが操作パネル９８を操作して特定の選択を行うためのものである。
【００２３】
ＥＥＰＲＯＭ４８は、ネットワーク制御部８１ａがネットワーク設定を行なうための各種パラメータを記憶するためのものである。ＥＥＰＲＯＭ４８に記憶されるパラメータの一例は、ＩＰｖ６に準じており、以下の設定を行なうものである。つまり、ネットワーク３００に接続するための設定として、ネットワーク上で複合機１００を識別するためのＩＰアドレス、仮想的な識別を行うためのサブネットマスク、ゲートウェイアドレス、ネットワーク環境での名称を決定するためのＷＩＮＳ（Windows Internet Name Services）設定、ＳＮＭＰ（Simple Network Management Protocol）設定、ＷＳＤ（Web Services on Devices）設定である。また、ネットワーク接続の際のセキュリティー上の設定である、ＳＳＬ(Secure Sockets Layer)設定、ＩＰｓｅｃ(IP security Protocol)設定の各パラメータである。これら設定されたパラメータは、スキャナ装置９０がネットワーク３００に接続される前は当然に記憶されておらず、ネットワーク３００に接続されたプリンタ６０のＥＥＰＲＯＭ４８にのみ記憶されるものである。
【００２４】
図４は、プリンタを説明するためのブロック図である。プリンタ６０の要部は、主たる制御を行うメインコントローラ４０と、印刷処理を実行するプリンタエンジン（画像形成部）５９と、ネットワーク３００と接続するためのネットワークＩＦ５８と、ユーザからの操作を受け付ける操作パネル５７と、ＵＳＢ接続を行うためのＵＳＢコントローラ３０と、で構成されている。
【００２５】
メインコントローラ４０の要部は、ＣＰＵ４１と、ＣＰＵ４１が所定の制御を行うために必要なプログラム等を記憶するＲＯＭ４２と、ＲＡＭ４３と、ネットワーク設定に係る各種パラメータを記憶するＥＥＰＲＯＭ４４と、メモリコントローラ４５と、で構成されている。
【００２６】
ＲＯＭ４２には、ネットワーク設定を行なうための各種プログラムが記憶されており、ＣＰＵ４１は所定のオペレーティングシステムの下でこのプログラムを実行することで、ネットワーク設定部（設定部）４１ａ、転送実行部４１ｂ、ネットワーク制御部（第１のネットワーク制御部）４１ｃ、として機能する。
【００２７】
ネットワーク設定部４１ａは、プリンタ６０をネットワーク３００に接続するためのパラメータを設定する。ネットワーク設定部４１ａが設定したパラメータは、ネットワーク制御部４１ｃがネットワーク３００に接続するための制御に利用される。
【００２８】
転送実行部４１ｂは、ＥＥＰＲＯＭ４４に記憶されたネットワーク設定のための各種パラメータをＵＳＢケーブル１０を通じてスキャナ装置９０に転送するためのものである。転送実行部４１ｂは、メモリコントローラ４５を通じてＥＥＰＲＯＭ４４が記憶する各種パラメータを読み出し、ＵＳＢコントローラ３０を通じて読み出したパラメータをスキャナ装置９０に出力する。
【００２９】
図５は、複合機１００が実行するネットワーク設定処理を説明するための流れ図である。また、図６は、複合機１００の各機能を説明するための図である。スキャナ装置９０はプリンタ６０とＵＳＢケーブル１０を用いて接続した際、図５に示す流れに従って、プリンタ６０のＥＥＰＲＯＭ４４に記憶されたパラメータをスキャナ装置９０転送させる。
【００３０】
スキャナ装置９０とプリンタ６０とがＵＳＢ接続されると、パラメータ受信部８１ｂは、プリンタ６０から同プリンタを認識するための型番を取得する（ステップＳ１１０）。パラメータ受信部８１ｂは、ＵＳＢコントローラ７０を通じてプリンタ６０に対して型番を請求する命令を転送実行部４１ｂに出力する。転送実行部４１ｂは、上記命令を受信すると、メモリコントローラ４５を通じてＥＥＰＲＯＭ４４に記憶されたプリンタ６０を識別するための型番を読み出し、ＵＳＢコントローラ３０を通じてスキャナ装置９０に送信する。
【００３１】
ＵＩ表示部８１ｃは、表示パネル９６に選択画面を表示させる（ステップＳ１２０）。パラメータ受信部８１ｂは、型番を表すデータを受信すると、ＵＩ表示部８１ｃに、受信したデータを用いて表示パネル９６の画面上に選択画面を表示させる。この選択画面には、ユーザに対してスキャナ装置９０とプリンタ６０とを複合機化するか否かの選択を促す画像が表示される。
【００３２】
図７は、表示パネル９６の画面上に表示される選択画面を示す図である。表示パネル９６の画面上には、ユーザに対してプリンタ６０とスキャナ装置９０とを複合機化するか否かを問う文字が表示される。ユーザがこの画面を参照しつつ操作パネル９８を操作して「はい／いいえ」のいずれかを選択すると、パラメータ受信部８１ｂに対して選択結果が出力される。
【００３３】
ユーザが複合機化を選択しない場合（ステップＳ１３０）、スキャナ装置９０とプリンタ６０は複合機化するための各種設定を行なわない。また、ネットワーク制御部８１ａはネットワークへの接続を終了する。そのため、プリンタ６０とスキャナ装置９０とは別々の装置として機能することとなる。
【００３４】
ユーザが選択画面を参照して複合機化を選択した場合は（ステップＳ１３０）、パラメータ受信部８１ｂはプリンタ６０のネットワーク設定機能を無効にさせる（ステップＳ１４０）。具体的には、パラメータ受信部８１ｂはＵＳＢコントローラ７０を通じてネットワーク設定部４１ａにネットワーク設定機能を無効にするための命令を出力する。ネットワーク設定部４１ａはこの命令を受信すると、ネットワーク３００に対する接続を無効にするよう設定を行なう。ここで、プリンタ６０のネットワークに接続する機能を無効にすることで、プリンタ６０及びスキャナ装置９０のいずれもがネットワーク３００に接続されることで生じる設定の不備を防止することができる。
【００３５】
また、パラメータ受信部８１ｂはプリンタ６０に対してＥＥＰＲＯＭ４４に記憶された各種パラメータを転送するようＵＳＢケーブル１０を通じて命令し、転送されたパラメータを用いて設定を行なう（ステップＳ１５０）。以下に、ステップＳ１５０における各部の処理をより詳細に説明する。
【００３６】
図８は、図５におけるステップＳ１５０で各部が実行する、ネットワーク設定を行う流れを示す図である。ステップＳ１５０において、ＵＩ表示部８１ｃは、スキャナ装置９０に対するネットワーク設定を自動で行なうか否かをユーザに選択させる選択画面を表示パネル９６に表示させる（ステップＳ１４１）。具体的には、ＵＩ表示部８１ｃは表示パネル９６に図９に示す第２の選択画面を表示させる。
【００３７】
図９は、表示パネル９６の画面上に表示される第２の選択画面を示す図である。第２の選択画面では、表示パネル９６の画面上にスキャナ装置９０のネットワーク設定をプリンタ６０と同じにするか否かを問う文字が表示される。ユーザがこの画面を参照しつつ操作パネル９８を操作して「はい／いいえ」のいずれかを選択すると、パラメータ受信部８１ｂに対して選択結果が出力される。
【００３８】
ユーザが第２の選択画面を参照してスキャナ装置９０のネットワーク設定をプリンタ６０と同じにするよう選択した場合は（ステップＳ１４２）、パラメータ受信部８１ｂは、プリンタ６０のＥＥＰＲＯＭ４４に記憶された各種パラメータを転送させる（ステップＳ１４３）。具体的には、パラメータ受信部８１ｂは、ＵＳＢコントローラ７０を通じてプリンタ６０の転送実行部４１ｂに対して、ＥＥＰＲＯＭ４４に記憶されたパラメータを出力させるよう命令する。転送実行部４１ｂはこの命令を受信して、メモリコントローラ４５を通じてＥＥＰＲＯＭ４４に記憶された各種パラメータを読み出し、ＵＳＢコントローラ３０を通じて読み出したパラメータをＵＳＢケーブル１０を通じてスキャナ装置９０に出力する。
【００３９】
パラメータ受信部８１ｂは、ＵＳＢコントローラ７０を通じて転送されたパラメータをＥＥＰＲＯＭ８４に上書きする（ステップＳ１４４）。通常、ＥＥＰＲＯＭ８４にはネットワーク設定がデフォルトで設定されているため、パラメータ受信部８１ｂは受信したパラメータをＥＥＰＲＯＭ８４に上書きすることで、記憶されたパラメータを更新する。
このとき、ＥＥＰＲＯＭ８４には、ネットワーク接続設定に必要なパラメータのみならず、ネットワークに接続する際のセキュリティー設定に必要なパラメータをも上書きされる。そのため、ネットワークに接続するための設定操作をより簡素化させることができる。
【００４０】
ネットワーク制御部８１ａは、ＥＥＰＲＯＭ８４上で更新されたパラメータを用いてスキャナ装置９０をネットワーク３００に接続するための制御を行う（ステップＳ１４５）。このとき、ネットワーク制御部８１ａは、ネットワーク設定が自動で実行されたことを、表示パネル９６の画面上に表示させる。
【００４１】
図１０は、表示パネル９６に表示される画面を示す図である。表示パネル９６の画面上には、ネットワーク制御部８１ａが使用する各設定値が表示される。ここで、表示パネル９６の画面上に各ネットワーク設定の値を表示することで、ユーザにネットワーク設定が自動で完了したことを知らせることができる。
【００４２】
ステップＳ１４２で、ユーザがプリンタ６０のネットワーク設定をスキャナ装置９０のネットワーク設定にコピーすることを選択しない場合は、パラメータ受信部８１ｂは、ネットワーク設定を自動で更新しないことを表示パネル９６の画面上に表示させる（ステップＳ１４６）。
【００４３】
図１１は、表示パネル９６に表示される画面を示す図である。表示パネル９６には、ＥＥＰＲＯＭ８４に記憶されたデフォルトのパラメータが設定値として表示される。このとき、ユーザが操作パネル９８を操作してネットワークの設定を受け付けた場合は、ネットワーク制御部８１ａは、ユーザが設定したパラメータを用いてネットワークの設定を行なう。
【００４４】
以上説明したように、ネットワーク設定がすでに設定されたプリンタにスキャナ装置をＵＳＢ接続して複合機を構成するとともに、スキャナ装置をネットワークに接続させる場合、本発明を用いれば、ユーザがスキャナ装置に新たにネットワーク設定を行なうことなく、自動でスキャナ装置をネットワークに接続させることができる。
【００４５】
２．その他の実施形態：
本発明は様々な変形例が存在する。
第１の実施形態では、複合機１００をプリンタ６０とスキャナ装置９０とで構成したが、複合機を構成する装置の組合せはこれに限定されない。
また、ネットワーク設定を行なうための各パラメータは第１の実施形態に記載されたものに限定されない。
【００４６】
なお、本発明は上記実施例に限られるものでないことは言うまでもない。つまり、上記実施例の中で開示した相互に置換可能な部材および構成等を適宜その組み合わせを変更して適用すること、上記実施例の中で開示されていないが、公知技術であって上記実施例の中で開示した部材および構成等と相互に置換可能な部材および構成等を適宜置換し、またその組み合わせを変更して適用すること、上記実施例の中で開示されていないが、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【図面の簡単な説明】
【００４７】
【図１】ネットワークに接続された複合機を説明するための模式図である。
【図２】ネットワークに接続された複合機を説明するための模式図である。
【図３】スキャナ装置を説明するためのブロック図である。
【図４】プリンタを説明するためのブロック図である。
【図５】複合機１００が実行するネットワーク設定処理を説明するための流れ図である。
【図６】複合機１００の各機能を説明するための図である。
【図７】表示パネルに表示された選択画面を示す図である。
【図８】図５におけるステップＳ１５０で各部が実行する、ネットワーク設定を行う流れを示す図である。
【図９】表示パネルに表示される第２の選択画面を示す図である。
【図１０】表示パネルに表示される画面を示す図である。
【図１１】表示パネルに表示される画面を示す図である。
【符号の説明】
【００４８】
１０…ＵＳＢケーブル、３０…ＵＳＢコントローラ、４０…メインコントローラ、４１…ＣＰＵ、４１ａ…ネットワーク設定部、４１ｂ…転送実行部、４１ｃ…ネットワーク制御部、４２…ＲＯＭ、４３…ＲＡＭ、４４…ＥＥＰＲＯＭ、４５…メモリコントローラ、５７…操作パネル、５９…プリンタエンジン、６０…プリンタ、７０…ＵＳＢコントローラ、８０…メインコントローラ、８１…ＣＰＵ、８１ａ…ネットワーク制御部、８１ｂ…パラメータ受信部、８１ｃ…ＵＩ表示部、８２…ＲＯＭ、８３…ＲＡＭ、８４…ＥＥＰＲＯＭ、８５…メモリコントローラ、９０…スキャナ装置、９８…操作パネル、９９…スキャナ部、１００…複合機、２０１…サーバ、３００…ネットワーク
【図１】
2010093442.tif 000003
【図２】
2010093442.tif 000004
【図３】
2010093442.tif 000005
【図４】
2010093442.tif 000006
【図５】
2010093442.tif 000007
【図６】
2010093442.tif 000008
【図７】
2010093442.tif 000009
【図８】
2010093442.tif 000010
【図９】
2010093442.tif 000011
【図１０】
2010093442.tif 000012
【図１１】
2010093442.tif 000013